(57)【要約】要約課題ピストンとシリンダとの間の摩擦を軽減する摩擦軽減装置を提供する。解決手段ガスが流入し、次弾を装てんさせるために後退移動するピストンと、ピストンを移動可能に収納するシリンダと、ピストンに、回転可能に配置されたピストン転動体と、を有し、ピストンが、後退移動する際に、ピストンに回転可能に配置されたピストン転動体が、シリンダの内部に接することで、ピストン転動体が回転するピストンとシリンダとの間の摩擦を軽減する摩擦軽減装置である。選択図            図１
2019092820.tif 000002
【特許請求の範囲】
【請求項１】
ガスが流入し、次弾を装てんさせるために後退移動するピストンと、
前記ピストンを移動可能に収納するシリンダと、
前記ピストンに、回転可能に配置されたピストン転動体と、を有し、
前記ピストンが、後退移動する際に、前記ピストンに回転可能に配置された前記ピストン転動体が、前記シリンダの内部に接することで、前記ピストン転動体が回転する前記ピストンと前記シリンダとの間の摩擦を軽減する摩擦軽減装置。
【請求項２】
前記ピストン転動体は、水平方向に配置された回転可能な車軸部と、
その両端に配置された車輪部と、を有する請求項１記載の前記ピストンと前記シリンダとの間の摩擦を軽減する摩擦軽減装置。
【請求項３】
前記ピストン転動体は、水平方向に配置され、軸となる第２車軸部と、
前記第２車軸部に配置した第２車輪部と、を有し、
前記第２車輪部の中心にその軸となる前記第２車軸部を配置した請求項１記載の前記ピストンと前記シリンダとの間の摩擦を軽減する摩擦軽減装置。
【請求項４】
ガスが流入し、次弾を装てんさせるために後退移動するピストンと、
前記ピストンと一体に結合されているスライダと、
前記ピストンを移動可能に収納するシリンダと、
前記スライダに、回転可能に配置されたスライダ転動体と、を有し、
前記ピストンが、後退移動し、前記ピストンと一体に結合されている前記スライダが後退移動する際に、前記スライダに回転可能に配置された前記スライダ転動体が、前記シリンダの外部に接することで、前記スライダ転動体が回転すると共に前記スライダと一体に結合されている前記ピストンと前記シリンダとの間の摩擦を軽減する摩擦軽減装置。
【請求項５】
前記スライダ転動体は、水平方向に配置された回転可能なスライダ車軸部と、
その両端に配置されたスライダ車輪部と、を有する請求項４記載の前記ピストンと前記シリンダとの間の摩擦を軽減する摩擦軽減装置。
【請求項６】
前記スライダ転動体は、水平方向に配置され、軸となる第２スライダ車軸部と、
前記第２スライダ車軸部に配置した第２スライダ車輪部と、を有し、
前記第２スライダ車輪部の中心にその軸となる前記第２スライダ車軸部を配置した請求項４記載の前記ピストンと前記シリンダとの間の摩擦を軽減する摩擦軽減装置。
【請求項７】
前記請求項１から３のいずれか１項記載の前記ピストンと前記シリンダとの間の摩擦を軽減する摩擦軽減装置と、を有するブローバックするガス式模擬銃。
【請求項８】
前記請求項４から６のいずれか１項記載の前記ピストンと前記シリンダとの間の摩擦を軽減する摩擦軽減装置と、を有するブローバックするガス式模擬銃。
【請求項９】
前記請求項１から３のいずれか１項記載の前記ピストンと前記シリンダとの間の摩擦を軽減する摩擦軽減装置と、前記請求項４から６のいずれか１項記載の前記ピストンと前記シリンダとの間の摩擦を軽減する摩擦軽減装置と、を有するブローバックするガス式模擬銃。
【発明の詳細な説明】
【技術分野】
【０００１】
本発明は、ガス式模擬銃におけるピストンとシリンダとの間の摩擦を軽減する摩擦軽減装置に関するものである。
【背景技術】
【０００２】
従来の模擬銃においては、ボンベ入りの圧縮ガスを銃本体に充填しそれを弾丸に噴射することで弾丸を発射するいわゆるガス銃が存在する。さらにその際に実銃を模した動きをさせるため弾丸の発射と共に次弾を装填させるために、スライドを後方に移動させるいわゆるブローバックさせる模擬銃が存在する。【０００３】
たとえば、特開２０１４−２４０７２２号公報によると、遊戯用のブローバックガスガンにおいて、ピストンがスライドに固定された状態でシリンダの内部を摺動する際、シリンダとピストンパッキンの軸芯を一致させることにより圧縮ガスの漏洩を防止し、ブローバックの後退動作を迅速に行うことができるようにしたブローバックガスガンが開示されている。これは、弾丸を発射する際、ピストンの前方のシリンダ内に供給された圧縮ガスの圧力によって、スライドに固定したピストンがシリンダの内周に沿って後退するようにした遊戯用ブローバックガスガンにおいて、シリンダの内周にクリアランスをあけて収納したピストンの前端に軸部を突出形成し、該軸部の外周にクリアランスをあけてカラーを装着し、該カラーの外周に形成した環状溝に弾性のピストンパッキンを嵌合し、さらにピストンの軸部の前端にピストン頭部を結合することによって、軸部の周りのクリアランスだけカラーを周方向に移動可能としたことにより、シリンダ内を摺動するピストンパッキンの軸芯がシリンダの軸芯と一致するようにしたものである。【０００４】
しかしながら、上記発明では、シリンダとピストンの隙間を適正化するいわゆる芯ずれを防止すると言うよりも、圧縮ガスの漏洩を防止するというものである。従って、それらのずれを防止することができず、特に長年の使用によりガス式模擬銃において、次弾を装てんさせるために後退移動するピストンと、そのピストンと接するシリンダとの間で摩擦が生じ、シリンダが磨耗する場合がある。とくに、シリンダが合成樹脂製であることから、その傾向がある。
【先行技術文献】
【特許文献】
【０００５】
【特許文献１】特開２０１４−２４０７２２号公報
【発明の開示】
【発明が解決しようとする課題】
【０００６】
本発明は前記の実情に鑑みてなされたもので、その課題は、ピストンと、シリンダとの間の摩擦を軽減することである。
【課題を解決するための手段】
【０００７】
第１観点におけるピストンと、シリンダとの間の摩擦を軽減する摩擦軽減装置は、ガスが流入し、次弾を装てんさせるために後退移動するピストンと、ピストンを移動可能に収納するシリンダと、ピストンに、回転可能に配置されたピストン転動体と、を有し、ピストンが、後退移動する際に、ピストンに回転可能に配置されたピストン転動体が、シリンダの内部に接することで、ピストン転動体が回転するというものである。【０００８】
第２観点におけるピストンと、シリンダとの間の摩擦を軽減する摩擦軽減装置は、第１観点において、ピストン転動体は、水平方向に配置された回転可能な車軸部と、その両端に配置された車輪部と、を有するものである。【０００９】
第３観点におけるピストンと、シリンダとの間の摩擦を軽減する摩擦軽減装置は、第１観点において、ピストン転動体は、水平方向に配置され、軸となる第２車軸部と、第２車軸部に配置した第２車輪部と、を有し、第２車輪部の中心にその軸となる第２車軸部を配置したというものである。【００１０】
第４観点におけるピストンと、シリンダとの間の摩擦を軽減する摩擦軽減装置は、ガスが流入し、次弾を装てんさせるために後退移動するピストンと、ピストンと一体に結合されているスライダと、ピストンを移動可能に収納するシリンダと、スライダに、回転可能に配置されたスライダ転動体と、を有し、ピストンが、後退移動し、ピストンと一体に結合されているスライダが後退移動する際に、スライダに回転可能に配置された前記スライダ転動体が、前記シリンダの外部に接することで、スライダ転動体が回転すると共にスライダと一体に結合されているピストンとシリンダとの間の摩擦を軽減するというものである。【００１１】
第５観点におけるピストンと、シリンダとの間の摩擦を軽減する摩擦軽減装置は、第４観点において、スライダ転動体は、水平方向に配置された回転可能なスライダ車軸部と、その両端に配置されたスライダ車輪部と、を有するというものである。【００１２】
第６観点におけるピストンと、シリンダとの間の摩擦を軽減する摩擦軽減装置は、第４観点において、スライダ転動体は、水平方向に配置され、軸となる第２スライダ車軸部と、第２スライダ車軸部に配置した第２スライダ車輪部と、を有し、第２スライダ車輪部の中心にその軸となる第２スライダ車軸部を配置したというものである。【００１３】
第７観点におけるブローバックするガス式模擬銃は、第１観点から第３観点のピストンとシリンダとの間の摩擦を軽減する摩擦軽減装置と、を有するというものである。【００１４】
第８観点におけるブローバックするガス式模擬銃は、第４観点から第６観点のピストンと、シリンダとの間の摩擦を軽減する摩擦軽減装置と、を有するというものである。【００１５】
第９観点におけるブローバックするガス式模擬銃は、第１観点から第３観点のピストンと、シリンダとの間の摩擦を軽減する摩擦軽減装置と、第４観点から第６観点のピストンと、シリンダとの間の摩擦を軽減する摩擦軽減装置と、を有するというものである。
【発明の効果】
【００１６】
本発明は以上のように構成され、かつ、作用するものであるから、ピストンと、シリンダとの間の摩擦を軽減することができる。
【図面の簡単な説明】
【００１７】
【図１】第１の実施例における摩擦軽減装置を有するガス式模擬銃の全体断面図。
【図２】Ａは、第１の実施例における摩擦軽減装置を有するガス式模擬銃の部分拡大図。Ｂは、Ａの２Ｂ線部分断面図。
【図３】Ａは、弾丸が銃身内を移動する状態の第１の実施例における摩擦軽減装置を有するガス式模擬銃の全体断面図。Ｂは、Ａの状態の第１の実施例における摩擦軽減装置の拡大断面図。
【図４】Ａは、弾丸を発射した状態の第１の実施例における摩擦軽減装置を有するガス式模擬銃の全体断面図。Ｂは、Ａの状態の第１の実施例における摩擦軽減装置の拡大断面図。
【図５】Ａは、弾丸を発射し、ピストンが後方に移動した状態の第１の実施例における摩擦軽減装置を有するガス式模擬銃の全体断面図。Ｂは、Ａの状態の第１の実施例における摩擦軽減装置の拡大断面図。
【図６】Ａは、次弾が配置された状態の第１の実施例における摩擦軽減装置を有するガス式模擬銃の全体断面図。Ｂは、Ａの状態の第１の実施例における摩擦軽減装置の拡大断面図。
【図７】Ａは、第２の実施例における摩擦軽減装置を有するガス式模擬銃の部分拡大図。Ｂは、Ａの７Ｂ線部分断面図。
【図８】Ａは、第３の実施例における摩擦軽減装置を有するガス式模擬銃の部分拡大図。Ｂは、Ａの８Ｂ線部分断面図。
【図９】Ａは、弾丸が銃身内を移動する状態の第３の実施例における摩擦軽減装置を有するガス式模擬銃の全体断面図。Ｂは、Ａの状態における第３の実施例の摩擦軽減装置の拡大断面図。
【図１０】Ａは、弾丸を発射した状態の第３の実施例における摩擦軽減装置を有するガス式模擬銃の全体断面図。Ｂは、Ａの状態における第３の実施例の摩擦軽減装置の拡大断面図。
【図１１】Ａは、弾丸を発射し、ピストンが後方に移動した状態の第３の実施例における摩擦軽減装置を有するガス式模擬銃の全体断面図。Ｂは、Ａの状態における第３の実施例の摩擦軽減装置の拡大断面図。
【図１２】Ａは、次弾が配置された状態の第３の実施例における摩擦軽減装置を有するガス式模擬銃の全体断面図。Ｂは、Ａの状態における３の実施例の摩擦軽減装置の拡大断面図。
【図１３】Ａは、第４の実施例における摩擦軽減装置を有するガス式模擬銃の部分拡大図。Ｂは、Ａの１３Ｂ線部分断面図。
【００１８】
以下図示の実施形態を参照して第１の実施例における摩擦軽減装置について説明する。第１実施例における摩擦軽減装置１０Ａは、ブローバックするガス式模擬銃１００に配置されているもので、圧縮ガスが流入し、次弾を装てんするために後退する方向に移動するピストン２０と、そのピストン２０を移動可能に収納するシリンダ３０と、ピストン２０に回転可能に配置されたピストン転動体４０と、を有する。このピストン転動体４０が回転することによって、ピストン２０とシリンダ３０との間の摩擦を軽減させ、それによりシリンダ３０の磨耗を軽減させるためのものである。すなわち、弾丸Ｂを有するマガジンをガス式模擬銃１００に装てんするとシリンダ３０は上方に押圧されるものの、ピストン２０は、押圧されないのでピストン２０の下部２０ａが相対的にシリンダ３０と接近し、ピストン２０とシリンダ３０との隙間が狭まるという問題が生じるものの、上記ピストン転動体４０を有することで、ピストン２０とシリンダ３０との隙間を適正化する、いわゆるピストン２０とシリンダ３０との間の芯ずれをも解決することで、上記のとおり、ピストン２０とシリンダ３０との間の摩擦を軽減させ、それによりシリンダ３０の磨耗を軽減させるためのものである。ここで、ブローバックとは、発射した弾丸Ｂの次に発射をする弾丸Ｂ１の装填を自動的に行うというものであり、実銃において行われている動作である。なお、ガス式模擬銃１００においても、実銃とその構成は異なるものの外見上の動作と次に発射をする弾丸である次弾を装てんするという効果を模擬的に実現したものである。【００１９】
ここで、ガス式模擬銃１００について、詳細は後述するが、いわゆる圧縮ガスを放出することによって弾丸Ｂを銃口１１０から発射する、いわゆるガスガンと呼ばれる模擬銃である。【００２０】
摩擦軽減装置１０Ａについて説明すると、ピストン２０は後述するとおり圧縮ガスの圧力を受けて後退移動（図１において図面右方向に移動することをいう）可能にシリンダ３０内に配置されている。また、ピストン２０は、ピストン本体２１と、その先端に配置され弾性を有し、かつ、リング状を呈するピストンパッキン２２と、そのピストンパッキン２２をピストン本体２１に固定している螺子部２３を有する。このピストンパッキン２２によって、ピストン２０とシリンダ３０との気密を確保している。さらに、ピストン転動体４０を回転可能に保持するピストン転動体保持部２４と、そのピストン転動体保持部２４をピストン本体２１に固定するための固定部２５を有する。なお、固定部２５は螺子を使用することができる。【００２１】
シリンダ３０の内部は、筒状を呈するものである。また、後述する流路１２３内に排出されたガスが、シリンダ３０内に流入することによって、その内部に収納されたピストン２０を後退する方向に移動させるものである。【００２２】
ピストン転動体４０は、上記のとおりピストン２０の移動に応じて回転するものであり、言わば列車の車輪のように水平方向に配置された回転可能な車軸部４１とその両端に配置された車輪部４２、４２とを有し、上記ピストン転動体保持部２４に回転可能にピストン本体２１に固定されている。また車輪部４２、４２におけるシリンダ３０に接する面4３、４３は、シリンダ３０の内周面に倣うように曲面状を呈している。従って、車輪部４２、４２は、シリンダ３０の内周面に面で接している（図２Ａ、Ｂ参照）。【００２３】
ここで、ガス式模擬銃１００の動作と、上記構成の摩擦軽減装置１０Ａの動作について併せて説明する。図２の状態から、いわゆるコッキング動作をすることにより、最初に発射をする弾丸Ｂを、係合部１２７に係合させる。次に、トリガー１２０を、引くことにより、図示しない部材により、閉じられていた第１開閉弁１２２が移動することで、タンク１２１内にあらかじめ充填されていた液化ガスが気化し、そのガスが、その第１開閉弁１２２から流路１２３に排出される。【００２４】
バネ１２４は、第２開閉弁１２５を、銃口１１０とは反対の方向（図面右方向）に付勢している。すなわち、その第２開閉弁１２５が開く状態に付勢している。この状態において、流路１２３に排出されたガスが、その開いた状態の第２開閉弁１２５を通過し、ノズル１２６内を通り、係合部１２７に係合している弾丸Ｂに噴射する。なお、係合部１２７は弾性を有するものである。【００２５】
ガスが噴射された弾丸Ｂは、筒状構造を有し弾丸Ｂを発射させるための銃身１２８内を急速に移動する。なお、その時点においては、ピストン２０は、シリンダ３０内に配置され、そのピストン２０は、シリンダ３０内において、図面左方向に配置されている（図３Ａ、Ｂ参照）。【００２６】
ガスが噴射された弾丸Ｂは、筒状構造を有し弾丸Ｂを発射させるための銃身１２８を通過し、銃口１１０からその弾丸Ｂが発射される。なお、上記のとおり、流路１２３に排出されたガスが、その開いた状態の第２開閉弁１２５を通過する時点でガス流にのって第２開閉弁１２５がバネ１２４の付勢力に反して、銃口１１０の方向に移動する。弾丸Ｂが銃口１１０から離れるタイミングで第２開閉弁１２５が閉じられるように調整されているので、銃口１１０からその弾丸Ｂが発射されるときに第２開閉弁１２５が閉じられる。従って、第２開閉弁１２５が閉じられているので、銃身１２８内にガスは流入することはなく、今度はシリンダ３０内にガスが流入することになる。【００２７】
シリンダ３０内にガスが流入することによって、ピストン２０は、図面右方向に移動する（図４Ａ、Ｂ参照）。そのピストン２０の移動に伴って、ピストン転動体４０が回転する。【００２８】
さらに、シリンダ３０内にガスが流入することによって、ピストン２０は、図面右方向に移動する（図５Ａ、Ｂ参照）。そのピストン２０の移動に伴って、ピストン転動体４０がさらに回転する。ピストン２０はその最大後退時にシリンダ３０の後端開口３１よりもさらに後退（図面右方向に移動）する。なお、ピストン２０とスライダ１３０とはその後部で一体に結合されている。従って、ピストン２０と同様にスライダ１３０も後退する。またそれと同時にスライダ１３０と一体に結合されている銃本体１５０が後退することにより、本体バネ１５１が圧縮される。また、スライダ１３０と一体に結合されているノズル１２６も後退する（図５Ａ、Ｂ参照）。【００２９】
そのときに弾丸開口部１４０が開き、弾丸バネ１４１によって上昇するように付勢された複数の弾丸Ｂのうち最上部に位置し、次に発射され次弾となる弾丸Ｂ１がさらに上昇する。【００３０】
圧縮された本体バネ１５１が、自然長に復元するに従い、スライダ１３０が前方（図面左方向）すなわち銃口１１０の方向に移動すると共に、ピストン転動体４０も逆回転し、ピストン２０が、図面左方向に移動する（図６Ａ、Ｂ参照）。そのときに複数の弾丸Ｂのうち最上部に位置する弾丸Ｂ１がノズル１２６の銃口１１０方向の移動により、そのノズル１２６に弾丸Ｂ１が突き動かされ、係合部１２７にその弾丸Ｂ１が係合する。このように、いわゆるブローバックすることで次弾である弾丸Ｂ１が装てんされる。このように弾丸Ｂを発射するたびごとに上記動作が繰り返される。【００３１】
ここで上記動作は、弾丸Ｂの発射のたびに繰り返され、その動作は瞬間的なものであるために、本実施例における摩擦軽減装置１０Ａは、ピストン転動体４０が回転することによりピストン２０とシリンダ３０との間に生じる摩擦を可及的に軽減することができ、それによる磨耗を防止することができる。なお、上記のとおり、ピストン転動体４０を有することで、ピストン２０とシリンダ３０とのいわゆる芯ずれを防止することは言うまでもない。【００３２】
つぎに第２実施例における摩擦軽減装置１０Ｂについて説明する。なお、摩擦軽減装置１０Ｂ以外のガス式模擬銃１００の構成は上記と同様であるのでその説明は省略する。摩擦軽減装置１０Ｂは、ブローバックさせるための第２ピストン２００と第２シリンダ３００との間に回転する第２ピストン転動体４００を配置することによって、第２ピストン２００と第２シリンダ３００との間の摩擦を軽減させるためのものである。すなわち、弾丸Ｂを有するマガジンをガス式模擬銃１００に装てんすると第２シリンダ３００は上方に押圧されるものの、第２ピストン２００は、押圧されないので第２ピストン２００の下部２００ａが相対的に第２シリンダ３００と接近し、第２ピストン２００と第２シリンダ３００との隙間が狭まるという問題が生じるものの、上記第２ピストン転動体４００を有することで、第２ピストン２００と第２シリンダ３００との隙間を適正化する、いわゆる第２ピストン２００と第２シリンダ３００との間の芯ずれをも解決することで、上記のとおり、第２ピストン２００と第２シリンダ３００との間の摩擦を軽減させ、それにより第２シリンダ３００の磨耗を軽減させるためのものである。【００３３】
摩擦軽減装置１０Ｂについて説明すると、第２ピストン２００は上記のピストン２０と同様に圧縮ガスの圧力を受けて後退する方向（図７Ａにおいて図面右方向）に移動可能に第２シリンダ３００内に配置される。また、第２ピストン２００は、第２ピストン本体２１０と、その先端に配置され弾性を有し、かつ、圧縮ガスを受けとめるためのリング状を呈する第２ピストンパッキン２２０と、その第２ピストンパッキン２２０をピストン第２本体２１０に固定している第２螺子部２３０を有する。さらに、第２ピストン転動体４００を回転可能に保持するための第２ピストン転動体保持部２４０と、その第２ピストン転動体保持部２４０を第２ピストン本体２１０に固定するための第２固定部２５０を有する。なお、第２固定部２５０は螺子を使用することができる。【００３４】
また、第２シリンダ３００は、摩擦軽減装置１０Ａにおけるシリンダ３０と同様であるが念のため説明すると、筒状を呈し、後述する流路１２３内に排出されたガスが、第２シリンダ３００内に流入することによって、第２ピストン２００を後退する方向に移動させるものである。【００３５】
第２ピストン転動体４００は、上記のとおり第２ピストン２００の移動に応じて回転するものであり、言わば１輪車の車輪のように水平方向に配置され、軸となる第２車軸部４１０と、その第２車軸部４１０に配置され、かつ、それと共に回転するほぼ円形の第２車輪部４２０と、を有するものである。もっとも、軸となる第２車軸部４１０と第２車輪部４２０とは、共に回転せず、それぞれが独立して回転するものであっても良い。また、ほぼ円形の第２車輪部４２０の中心にその軸となる第２車軸部４１０が配置された状態を呈しており、第２車輪部４２０が水平方向に配置されたその第２車軸部４１０に対して第２ピストン転動体保持部２４０が、図７Ｂに記載しているように回転可能に配置されている。【００３６】
上記第２ピストン転動体保持部２４０は、第２ピストン転動体固定部２５０によって、第２車輪部４２０が回転可能に第２ピストン本体２１０に固定されている。また、第２車輪部４２０における第２シリンダ３００に接する面４３０は、その第２シリンダ３００の内周面に倣うように曲面状を呈している（図７Ｂ参照）。従って、第２車輪部４２０は、第２シリンダ３００の内周面にその曲面状の面で接している。【００３７】
上記構成の第２実施例における摩擦軽減装置１０Ｂは、第２ピストン転動体４００が回転することにより第２ピストン２００と第２シリンダ３００との間に生じる摩擦を可及的に軽減することができ、それによる磨耗を防止することができる。また、これについても、上記のとおり、第２ピストン転動体４００を有することで、第２ピストン２００と第２シリンダ３００とのいわゆる芯ずれを防止することは言うまでもない。【００３８】
また、第３の実施例における摩擦軽減装置１０Ｃについて説明する。第３実施例における摩擦軽減装置１０Ｃは、他のガス式模擬銃１０１に配置されているもので、圧縮ガスが流入し、次に発射をする弾丸である次弾を装てんするために後退する方向に移動する第３ピストン５００と、その第３ピストン５００と後部で一体に結合されその第３ピストン５００の後退方向の移動に従って後退する第３スライダ６００と、第３ピストン５００を移動可能に収納する第３シリンダ７００と、その第３スライダ６００と第３シリンダ７００との間に回転するスライダ転動体８００を配置することによって、第３スライダ６００と一体に結合されている第３ピストン５００と、第３シリンダ７００と、の摩擦を軽減させ、それにより第３シリンダ７００の磨耗を軽減させるためのものである。すなわち、弾丸Ｂを有するマガジンを他のガス式模擬銃１０１に装てんすると第３シリンダ７００は上方に押圧されるものの、第３ピストン５００は、押圧されないので第３ピストン５００の第３下部５００ａが相対的に第３シリンダ７００と接近し、第３ピストン５００と第３シリンダ７００との隙間が狭まるという問題が生じる。しかしながら、上記第３スライダ６００と第３シリンダ７００との間に回転するスライダ転動体８００を有することで、第３スライダ６００と第３シリンダ７００との間の隙間を適正化し、また、その第３スライダ６００と一体に結合されている第３ピストン５００と第３シリンダ７００との隙間を適正化するいわゆる芯ずれをも解決することで、上記のとおり、第３ピストン５００と第３シリンダ７００との間の摩擦を軽減させ、それにより第３シリンダ７００の磨耗を軽減させるためのものである。なお、ブローバックについては上記のとおりである。また、他のガス式模擬銃１０１についてもガス式模擬銃１００との相違は、第１の実施例における摩擦軽減装置１０Ａではなく、第３の実施例における摩擦軽減装置１０Ｃを有している点である。【００３９】
さらに、摩擦軽減装置１０Ｃについて説明すると、第３ピストン５００は後述するとおり圧縮ガスの圧力を受けて後退移動（図８Ａにおいて図面右方向に移動することをいう）するように第３シリンダ７００内に配置されている。また、第３ピストン５００は、第３ピストン本体５０１と、その先端に配置され弾性を有し、かつ、リング状を呈する第３ピストンパッキン５０２と、その第３ピストンパッキン５０２を第３ピストン本体５０１に固定している第３螺子部５０３を有する。この第３ピストンパッキン５０２によって、第３シリンダ７００との気密を確保している。さらに、スライダ転動体８００を回転可能に保持するスライダ転動体保持部８０４を有する（図８Ｂ参照）。【００４０】
第３シリンダ７００の内部は、筒状を呈するものである。また、後述する流路１２３内に排出されたガスが、第３シリンダ７００内に流入することによって、その内部に収納された第３ピストン５００を後退する方向に移動させるものである。【００４１】
第３スライダ６００は、上述の第３ピストン５００とその後部において一体に結合され、第３ピストン５００の後部方向の移動によりその第３スライダ６００も後部方向に移動するものである。また、上記のとおり、第３スライダ６００と、第３ピストン５００とその後部において一体に結合されていると共に、その前部では、第３シリンダ７００を、第３ピストン５００と第３スライダ６００で上下に挟むように構成されている。【００４２】
スライダ転動体８００は、上記のとおり第３ピストン５００の移動に応じて回転するものであり、言わば列車の車輪のように水平方向に配置された回転可能なスライダ車軸部８０１とその両端に配置されたスライダ車輪部８０２、８０２とを有し、上記スライダ転動体８００は、スライダ転動体保持部８０４に回転可能に第３スライダ６００に固定されている。また、スライダ車輪部８０２、８０２における第３シリンダ７００に接するスライダ車輪面８０３、８０３は、曲面状を呈している。従って、スライダ車輪部８０２、８０２におけるスライダ車輪面８０３、８０３は、第３シリンダ７００の外周面に面で接している（図８Ａ、Ｂ参照）。【００４３】
ここで、他のガス式模擬銃１０１の動作と第３の実施例における摩擦軽減装置１０Ｃの動作について併せて説明する。なお、上述のガス式模擬銃１００と同様の部分については同じ符号を付して説明する。図８の状態から、いわゆるコッキング動作をすることにより、最初に発射をする弾丸Ｂを、係合部１２７に係合させる。【００４４】
次に、トリガー１２０を、引くことにより、図示しない部材により、閉じられていた第１開閉弁１２２が移動することで、タンク１２１内にあらかじめ充填されていた液化ガスが気化し、そのガスが、その第１開閉弁１２２から流路１２３に排出される。【００４５】
バネ１２４は、第２開閉弁１２５を、銃口１１０とは反対の方向（図９Ａにおける図面右方向）に付勢している。すなわち、その第２開閉弁１２５が開く状態に付勢している。この状態において、流路１２３に排出されたガスが、その開いた状態の第２開閉弁１２５を通過し、ノズル１２６内を通り、係合部１２７に係合している弾丸Ｂに噴射する。なお、係合部１２７は弾性を有するものである。【００４６】
ガスが噴射された弾丸Ｂは、筒状構造を有し弾丸Ｂを発射させるための銃身１２８内を急速に移動する。なお、その時点においては、第３ピストン５００は、第３シリンダ７００内に配置され、その第３ピストン５００は、第３シリンダ７００内において、図面左方向に配置されている（図９Ａ、Ｂ参照）。【００４７】
ガスが噴射された弾丸Ｂは、筒状構造を有し弾丸Ｂを発射させるための銃身１２８を通過し、銃口１１０からその弾丸Ｂが発射される。なお、上記のとおり、流路１２３に排出されたガスが、その開いた状態の第２開閉弁１２５を通過する時点でガス流にのって第２開閉弁１２５がバネ１２４の付勢力に反して、銃口１１０の方向に移動する。弾丸Ｂが銃口１１０から離れるタイミングで第２開閉弁１２５が閉じられるように調整されているので、銃口１１０からその弾丸Ｂが発射されるときに第２開閉弁１２５が閉じられる。従って、第２開閉弁１２５が閉じられているので、銃身１２８内にガスは流入することはなく、今度は第３シリンダ７００内にガスが流入することになる。【００４８】
第３シリンダ７００内にガスが流入することによって、第３ピストン５００は、図面右方向に移動する（図１０Ａ、Ｂ参照）。その第３ピストン５００に移動に伴って、スライダ転動体８００が回転する。【００４９】
さらに、第３シリンダ７００内にガスが流入することによって、第３ピストン５００は、図面右方向に移動する（図１１Ａ、Ｂ参照）。その第３ピストン５００の移動に伴って、第３スライダ６００に配置されたスライダ転動体８００がさらに回転する。第３ピストン５００はその最大後退時に第３シリンダ７００の第３後端開口７０１よりもさらに後退する。なお、上述のとおり第３ピストン５００と第３スライダ６００とはその後部で一体に結合されているので、第３ピストン５００と同様に第３スライダ６００も後退する。またそれと同時に第３スライダ６００と一体に結合されている銃本体１５０が後退することにより、本体バネ１５１が圧縮される。また、第３スライダ６００と一体に結合されているノズル１２６も後退する。【００５０】
そのときに弾丸開口部１４０が開き、弾丸バネ１４１によって上昇するように付勢された複数の弾丸Ｂのうち最上部に位置する次に発射され、次弾となる弾丸Ｂ１がさらに上昇する。【００５１】
圧縮された本体バネ１５１が、自然長に復元するに従い、第３スライダ６００が銃口１１０の方向に移動すると共に、第３スライダ６００に配置されたスライダ転動体８００も逆回転し、第３ピストン５００が、図面左方向に移動する（図１２Ａ、Ｂ参照）。そのときに複数の弾丸Ｂのうち最上部に位置する弾丸Ｂ１がノズル１２６の銃口１１０方向の移動により、そのノズル１２６に弾丸Ｂ１が突き動かされ、係合部１２７にその弾丸Ｂ１が係合する。このように、いわゆるブローバックすることで次弾である弾丸Ｂ１が装てんされる。このように弾丸Ｂを発射するたびごとに上記動作が繰り返される。【００５２】
ここで上記動作は、弾丸Ｂの発射のたびに繰り返され、その動作は瞬間的なものであるために、従来であれば第３ピストン５００と第３スライダ６００との間に生じる摩擦をスライダ転動体８００が回転することにより可及的に軽減することができ、それによる磨耗を、防止することができる。また、これについても、上記のとおり、スライダ転動体８００を有することで、第３スライダ６００と第３シリンダ７００との間の隙間を適正化し、その第３スライダ６００と一体に結合されている第３ピストン５００と、第３シリンダ７００と、の間の隙間を適正化する、いわゆる芯ずれを防止することは言うまでもない。【００５３】
つぎに第４実施例における摩擦軽減装置１０Ｄについて説明する。なお、第３実施例における摩擦軽減装置１０Ｃ以外の他のガス式模擬銃１０１の構成は上記と同様であるのでその説明は省略する。第４実施例における摩擦軽減装置１０Ｄと、第３実施例における摩擦軽減装置１０Ｃとの相違は、スライダ転動体８００と第２スライダ転動体９００との構成の相違である。従って、ブローバックさせるための第３ピストン５００とその後部で一体に結合されている第３スライダ６００と、第３シリンダ７００との間に回転する第２スライダ転動体９００を配置することによって、第３スライダ６００と、第３シリンダ７００との間の摩擦を軽減させるためのものである点は、同様である。【００５４】
第２スライダ転動体９００は、上記のとおり第３スライダ６００の移動に応じて回転するものであり、言わば１輪車の車輪のように水平方向に配置され、軸となる第２スライダ車軸部９１０に配置され、かつ、それと共に回転するほぼ円形の第２スライダ車輪部９２０と、を有するものである。もっとも、軸となる第２スライダ車軸部９１０と第２スライダ車輪部９２０とは、共に回転せず、それぞれが独立して回転するものであっても良い。また、ほぼ円形の第２スライダ車輪部９２０の中心にその軸となる第２スライダ車軸部９１０が配置されており、第２スライダ車輪部９２０が、水平方向に配置されたその第２スライダ車軸部９１０に対して第２スライダ転動体保持部９４０が、図１３Ｂに記載しているように回転可能に配置されている。【００５５】
上記第２スライダ転動体保持部９４０によって、第２スライダ転動体９００が回転可能に第３スライダ６００に固定されている。また、第２スライダ車輪部９２０における第３シリンダ７００に接する面である、第２スライダ車輪面９３０は、曲面状を呈している（図１３Ｂ参照）。【００５６】
上記の第３ピストン５００は、圧縮ガスの圧力を受けて後退する方向（図１３Ａにおいて図面右方向）に移動可能に第３シリンダ７００内に配置される。また、第３シリンダ７００は、摩擦軽減装置１０Ａにおけるシリンダ３０と同様であるが念のため説明すると、筒状を呈し、後述する流路１２３内に排出されたガスが、第２シリンダ３００内に流入することによって、第３ピストン５００を後退する方向に移動させるものである。【００５７】
このような構成の摩擦軽減装置１０Ｄについては、弾丸Ｂの発射のたびに繰り返され、その動作は瞬間的なものであるために、従来であれば第３ピストン５００と第３スライダ６００との間に生じる摩擦を第２スライダ転動体９００が回転することにより可及的に軽減することができ、それによる磨耗を、防止することができる。これについても、上記のとおり、第２スライダ転動体９００を有することで、第３スライダ６００と第３シリンダ７００との間の位置を適正化し、その第３スライダ６００と一体に結合されている第３ピストン５００と第３シリンダ７００と間の隙間を適正化することでいわゆる芯ずれを防止することは言うまでもない。【００５８】
また、第１の実施例における摩擦軽減装置１０Ａと、第２の実施例における摩擦軽減装置１０Ｂとのいずれかをガス式模擬銃１００に有することもできる。また、第３の実施例における摩擦軽減装置１０Ｃと、第４の実施例における摩擦軽減装置１０Ｄとのいずれかをガス式模擬銃１０１に有することもできる。さらに、第１の実施例における摩擦軽減装置１０Ａと、第２の実施例における摩擦軽減装置１０Ｂとのいずれかと、第３の実施例における摩擦軽減装置１０Ｃと、第４の実施例における摩擦軽減装置１０Ｄとのいずれかを同時にガス式模擬銃に配置することもできる（図示せず）。
【符号の説明】
【００５９】
１０Ａ  第１の実施例における摩擦軽減装置
１０Ｂ  第２の実施例における摩擦軽減装置
１０Ｃ  第３の実施例における摩擦軽減装置
１０Ｄ  第４の実施例における摩擦軽減装置
２０  ピストン
３０  シリンダ
４０  ピストン転動体
４１  車軸部
４２  車輪部
１００  ガス式模擬銃
１０１  他のガス式模擬銃
２００  第２ピストン
３００  第２シリンダ
４００  第２ピストン転動体
４１０  第２車軸部
４２０  第２車輪部
５００  第３ピストン
６００  第３スライダ
７００  第３シリンダ
８００  スライダ転動体
８０１  スライダ車軸部
８０２  スライダ車輪部
９００  第２スライダ転動体
９１０  第２スライダ車軸部
９２０  第２スライダ車輪部
【図１】
2019092820.tif 000003
【図２】
2019092820.tif 000004
【図３】
2019092820.tif 000005
【図４】
2019092820.tif 000006
【図５】
2019092820.tif 000007
【図６】
2019092820.tif 000008
【図７】
2019092820.tif 000009
【図８】
2019092820.tif 000010
【図９】
2019092820.tif 000011
【図１０】
2019092820.tif 000012
【図１１】
2019092820.tif 000013
【図１２】
2019092820.tif 000014
【図１３】
2019092820.tif 000015
【国際調査報告】
2019092820.tif 000016
2019092820.tif 000017